(57)【要約】      （修正有）【課題】織物における涼感素材及び相変化材料の付着力を高めるとともに、涼感素材及び相変化材料が吸熱・放熱を繰り返して行うことができる特性によって、室外の高温時にもさわやかな効果を達成することができる織物構造を提供する。【解決手段】織物構造は、ベース層１０とプリント層２０とを含み、ベース層１０は複数本の紡織用繊維から構成しかつ接触面１０１を有し、プリント層２０は、接触面に設けており、かつ水性ポリウレタンと、相変化材料２０１と、涼感素材と、増粘剤とで構成される。【選択図】図１
0003189607.tif 000002
【実用新案登録請求の範囲】
【請求項１】
複数本の紡織用繊維から構成しかつ接触面を有するベース層と、
前記接触面に設けており、かつ水性ポリウレタンと、相変化材料と、涼感素材と、増粘剤とで構成されるプリント層と、を含むことを特徴とする、
織物構造。
【請求項２】
前記紡織用繊維は吸水性繊維であることを特徴とする請求項１記載の織物構造。
【請求項３】
前記紡織用繊維の吸水率は１重量％〜１０重量％であることを特徴とする請求項１記載の織物構造。
【請求項４】
前記ベース層は乾燥剤を有することを特徴とする請求項１記載の織物構造。
【請求項５】
前記乾燥剤は、ポリアクリル酸ナトリウム、ポリオキシエチレンエーテル、非イオン界面活性剤、高分子乳化物またはその組成であることを特徴とする請求項４記載の織物構造。
【請求項６】
前記増粘剤は、アクリル酸塩の重合物であることを特徴とする請求項１記載の織物構造。
【請求項７】
前記相変化材料は、パラフィンのマイクロカプセルであることを特徴とする請求項１記載の織物構造。
【請求項８】
前記涼感素材はキシリトールであることを特徴とする請求項１記載の織物構造。
【請求項９】
前記プリント層は少なくとも一つの顔料を含むことを特徴とする請求項１記載の織物構造。
【考案の詳細な説明】
【技術分野】
【０００１】
本考案は、織物構造に関し、特に、ベース層とプリント層との組み合わせで形成された織物構造に関する。
【背景技術】
【０００２】
さわやかな織物は、現在市場においてすでに人々がよく知っていてかつ使用しているが、近年、温室効果の影響で、各国がいずれも省エネ・低炭素化を提唱している。そのため、省エネ・低炭素化を実現するために、業界は、絶え間ない開発と精進の結果、現在市場においてジャージ、カジュアルウェア、下着、寝具などの織物について、いずれも涼感効果のある素材に向けて力を注ぐ傾向にある。
さわやかな織物は、現在市場ではおよそ二種類に分けられている。第一種は、繊維にナノ鉱石を加えるものであるが、この場合は、その欠点があってはならない。これは、外部の温度が高くなると、ナノ鉱石が体温を下げることができないだけではなくかえって体温が高くなってしまうからである。
第二種は、織物後工程で固定する際に涼感素材を加えるものであり、その欠点は水洗いに耐えられないことであって、洗う回数の増加に伴い、涼感素材は続々と落ちてしまい、織物全体の涼感効果が低下する。
そのため、どのように織物における涼感素材の付着力を上げてその実用寿命を延長させ、室外の高温時にもさわやかな効果を持たせることを可能にするかが、当面解決しようとする課題である。
【０００３】
以上に鑑みて、本考案者は、長年従事した関連製品の製造開発及び設計経験によって、上記の目標について詳しく設計し慎重に評価した結果、実用性を確かに備える本考案が成立した。
【考案の概要】
【考案が解決しようとする課題】
【０００４】
本考案は、ベース層とプリント層との組み合わせで、織物における涼感素材の付着力を高めるとともに、室外の高温時にもさわやかな効果を持つことが可能な織物構造を提供することを主な目的とする。
【課題を解決するための手段】
【０００５】
前記目的を達成するために、  本考案に係る織物構造は、ベース層とプリント層とを含み、前記ベース層は複数本の紡織用繊維から構成しかつ接触面を有し、前記プリント層は、前記接触面に設けており、かつ水性ポリウレタンと、相変化材料と、涼感素材と、増粘剤とで構成される。
【０００６】
前記のような織物構造では、前記紡織用繊維は吸水性繊維である。
【０００７】
前記のような織物構造では、前記紡織用繊維の吸水率は１重量％〜１０重量％である。
【０００８】
前記のような織物構造では、前記ベース層は乾燥剤を有する。
【０００９】
前記のような織物構造では、前記乾燥剤は、ポリアクリル酸ナトリウム、ポリオキシエチレンエーテル、非イオン界面活性剤、高分子乳化物またはその組成である。
【００１０】
前記のような織物構造では、前記増粘剤は、アクリル酸塩の重合物である。
【００１１】
前記のような織物構造では、前記相変化材料は、パラフィンのマイクロカプセルである。
【００１２】
前記のような織物構造では、前記涼感素材はキシリトールである。
【００１３】
前記のような織物構造では、前記プリント層は少なくとも一つの顔料を含む。
【００１４】
本考案の特徴、特点および技術的内容をより深く理解するために、以下の本考案に係る詳細説明および添付図面を参照されたい。なお、前記添付図面は参考や説明のために供されるにすぎず、本考案を限定するものではない。
【図面の簡単な説明】
【００１５】
【図１】本考案に係る織物構造の第１実施例を示す外観斜視図である。
【図２】本考案に係る織物構造の第２実施例を示す外観斜視図である。
【図３】図２の破線部分の一部拡大図である。
【図４】本考案に係る織物構造の第３実施例を示す断面図である。
【考案を実施するための形態】
【００１６】
図１は、本考案に係る織物構造の第１実施例を示す外観斜視図である。図１を参照すると、織物構造は、ベース層１０とプリント層２０とを含み、そのうち、ベース層１０は複数本の紡織用繊維から構成しかつ接触面１０１を有し、プリント層２０は接触面１０１に設けられ、かつ水性ポリウレタンと、相変化材料２０１と、涼感素材と、増粘剤と、顔料とで構成される。
【００１７】
本実施例では、これらの紡織用繊維は吸水性繊維であり、かつその吸水率は１重量％〜１０重量％である。また、相変化材料２０１はパラフィンのマイクロカプセルであり、涼感素材はキシリトールである。さらに、増粘剤はアクリル酸塩の重合物である。しかし、上記内容は、本考案の好適な実施例にすぎず、本考案の実施範囲を限定するものではない。
【００１８】
図１は、本考案に係る織物構造の第１実施例を示す外観斜視図である。図１を参照する。
本実施例では、ベース層１０は、これらの紡織用繊維を編んで形成され、その編み方として、平織りや、ニット（編んである）または布帛（織ってある）などの織り方を用いることができ、しかも、プリント層２０に含まれた水性ポリウレタンは、その優れた付着力がプリント層２０とベース層１０の接触面１０１とを結び付ける時の付着力を高めることができる。
さらに、プリント層２０に含まれた増粘剤を使用することにより、パラフィンのマイクロカプセル、キシリトール及び顔料が水性ポリウレタンに付着する能力を高める。使用時に、接触面１０１が人体を望むよう設計され、体から汗を流しているとき、キシリトールと水分の結合による吸水・吸熱の自然反応原理によって、織物構造の温度が低下し、清新でさわやかな感覚を与える。それと同時に、織物構造の温度が２５℃より高いと、プリント層２０内のパラフィンのマイクロカプセルが固相から液相に移転され、その過程において吸熱機能によって涼感効果が発生し、織物構造の温度が２５℃より低いと、プリント層の内のパラフィンのマイクロカプセルが液相から固相に移転され、その過程において放熱によって温度を調節する効果をもたらし、キシリトールと結合しなかった余剰の汗がプリント層２０を介してベース層１０の紡織用繊維により吸収排出されることによって、体の快適感を保つことができる。
【００１９】
説明の都合上、以下の図２〜図４に示す織物構造では、第１実施例と同様な構造には、図１の符号を付与するが、繰り返して説明しない。
【００２０】
図１は本考案に係る織物構造の第１実施例を示す外観斜視図であり、図２は本考案に係る織物構造の第２実施例を示す外観斜視図であり、図３は図２の破線部分の一部拡大図である。図２を参照する。
本実施例では、プリント層２０が異なること以外は第１実施例と同様である。第１実施例では、プリント層２０は全体がベース層１０の接触面１０１に付着されているのに対し（図１参照）、本実施例では、プリント層２０は、様々な線、パターン、模様またはその組合せなどでベース層１０の接触面１０１に設けられ（図２参照）、線、パターン、模様またはその組合せに覆われていない部分は、ベース層１０の接触面１０１である。また、プリント層２０にも、水性ポリウレタン、パラフィンのマイクロカプセル、キシリトール、増粘剤及び顔料が含まれている。
プリント層２０は、外見が美しい効果があるだけではなく、体から大量の汗が流れたとき、キシリトールと反応し、さらにベース層１０の紡織用繊維の吸収により、汗をより速く吸収排出することができ、体をさわやかで着心地良く維持する。
【００２１】
図２は本考案に係る織物構造の第２実施例を示す外観斜視図であり、図４は本考案に係る織物構造の第３実施例を示す断面図である。図３を参照する。
本実施例では、プリント層２０が第２実施例と同様であり（図２参照）、本実施例では、ベース層１０には乾燥剤１０２が設けられ、乾燥剤１０２はベース層１０の水分に対する吸収能力を高めることができる。このように、ベース層１０のこれらの紡織用繊維の吸水性が悪くもしくは吸水することができなくても、同様に乾燥剤１０２によって体からの汗を吸収し、体の心地良い快適感を保つことができる。
また、乾燥剤１０２は、ポリアクリル酸ナトリウム、ポリオキシエチレンエーテル、非イオン界面活性剤、高分子乳化物またはその組成であってよい（しかし、以上の内容は、本考案の好適な実施例にすぎず、本考案の実施範囲を限定するものではない）。
【００２２】
上述したように、ベース層１０とプリント層２０との組み合わせで、織物における涼感素材及び相変化材料２０１の付着力を高めるとともに、涼感素材及び相変化材料２０１が吸熱・放熱を繰り返して行うことができる特性によって、室外の高温時にもさわやかな効果を持つことが可能になり、その実用性、進歩性及び安全性を向上する。
【００２３】
上記の詳細な説明から、当該技術を熟知する当業者は、本考案が前記の目的を確かに達成できることが理解できるはずであり、法の要件を満しているので、法に従って出願する。
以上は、単に本考案の好ましい実施例にすぎず、本考案の実用新案登録請求の範囲を限定するものではなく、いずれの本考案の明細書および図面の内容によって実施した等価な変形も、本考案の主張範囲内に納入されるべきことは言うまでもない。
【符号の説明】
【００２４】
１０    ベース層
２０    プリント層
１０１  接触面
１０２  乾燥剤
２０１  相変化材料
【図１】
0003189607.tif 000003
【図２】
0003189607.tif 000004
【図３】
0003189607.tif 000005
【図４】
0003189607.tif 000006